(57)【要約】【課題】  汚れの付着した布ベルトの巻取り作業を自動的に行う玉磨き揚送装置おいて、布ベルトの巻き乱れのない玉磨き揚送装置を提供する。【解決手段】  玉磨き揚送装置の背面側に、使用済の布ベルトを引っ張る引張ユニット２０と、使用済の布ベルトを巻き取る布ベルト装着ユニット５０と、布ベルトの移動を停止するチャッキングユニット６２と、をそれぞれ設け、前記引張ユニット２０での使用済の布ベルトの引張動作と、前記布ベルト装着ユニット５０での使用済の布ベルトの巻取動作とが、１つのモータの駆動力によって行われることにより、単位時間当りの布ベルトの引張長さと巻取長さとの関係が常に一定になるので、巻き乱れがなく、布ベルトを最後まで巻取ることができる。【選択図】        図４
2006150131.tif 000002
【特許請求の範囲】
【請求項１】
搬送ベルトと玉磨き用の布ベルトとを対面させてパチンコ玉を磨きながら揚送する玉磨き揚送装置において、
該玉磨き揚送装置の背面側に、使用済の布ベルトを引っ張る引張ユニットと、使用済の布ベルトを巻き取る布ベルト装着ユニットと、布ベルトの移動を停止するチャッキングユニットと、をそれぞれ設け、
前記引張ユニットでの使用済の布ベルトの引張動作と、前記布ベルト装着ユニットでの使用済の布ベルトの巻取動作とが、１つのモータの駆動力によって行われることを特徴とする玉磨き揚送装置。
【請求項２】
前記引張ユニットは、前記玉磨き揚送装置の背面に取り付けるための取付枠板と、該取付枠板の前面開放部に支軸を中心にして開閉するカバー蓋と、によって構成され、
前記取付枠板の内側には、前記モータの駆動力により回転駆動する駆動ローラが回転自在に軸支され、一方、前記カバー蓋の内側には、閉じた状態で前記駆動ローラのやや前方上下に当接する一対の圧接ローラが設けられていることを特徴とする請求項１記載の玉磨き揚送装置。
【請求項３】
前記布ベルトの汚れ度を検知するセンサーを設けたことを特徴とする請求項１又は請求項２に記載の玉磨き揚送装置。
【請求項４】
未使用の前記布ベルトの残量を検出するセンサーを設けたことを特徴とする請求項１乃至請求項３のいずれかに記載の玉磨き揚送装置。
【請求項５】
遊技場内の一箇所に、布ベルトの巻取動作を制御するためのコントロール基板を設けたことを特徴とする請求項１乃至請求項４のいずれかに記載の玉磨き揚送装置。
【請求項６】
前記玉磨き揚送装置の玉流入口への玉の流入をストップし、布ベルトの巻取り作業を行うことを特徴とする請求項１乃至請求項５のいずれかに記載の玉磨き揚送装置。
【発明の詳細な説明】
【技術分野】
【０００１】
本発明は、搬送ベルトと玉磨き用の布ベルトとを対面させてパチンコ玉を磨きながら揚送する玉磨き揚送装置に関するものである。
【背景技術】
【０００２】
本出願人は、汚れの付着した布ベルトの巻取り作業を自動的に行う玉磨き揚送装置として、先に特願平３−１９０６７８号（特開平５−７６６２号として公開されている）、及び特願平６−１０９８０３号に開示される技術を提案した。この先行技術は、使用済の布ベルトを引っ張る引張機構部の動力源としてモータを使用し、使用済の布ベルトを巻取る巻取駆動部の動力源としてもモータを使用していた。
【特許文献１】特開平５−７６６２号公報
【発明の開示】
【発明が解決しようとする課題】
【０００３】
上記のように引張機構部での布ベルトの強制的な移動動作と、巻取駆動部での布ベルトの強制的な巻取動作とが別々の独立した駆動源（モータ）によって行われていたので、特に単位時間当りの布ベルトの引張長さと巻取長さとをそれぞれ調整しても巻取駆動部における使用済布ベルトの巻き状態に巻き乱れが生じ、最悪の場合には、その巻き乱れによって最後まで布ベルトを巻取ることができないという不都合が生ずる場合があった。本発明は、上記した事情に鑑みなされたもので、その目的とするところは、汚れの付着した布ベルトの巻取り作業を自動的に行う玉磨き揚送装置おいて、布ベルトの巻き乱れのない玉磨き揚送装置を提供することにある。
【課題を解決するための手段】
【０００４】
上記した目的を達成するために、本発明においては、搬送ベルトと玉磨き用の布ベルトとを対面させてパチンコ玉を磨きながら揚送する玉磨き揚送装置において、該玉磨き揚送装置の背面側に、使用済の布ベルトを引っ張る引張ユニットと、使用済の布ベルトを巻き取る布ベルト装着ユニットと、布ベルトの移動を停止するチャッキングユニットと、をそれぞれ設け、前記引張ユニットでの使用済の布ベルトの引張動作と、前記布ベルト装着ユニットでの使用済の布ベルトの巻取動作とが、１つのモータの駆動力によって行われることを特徴とする。
【０００５】
また、前記引張ユニットは、前記玉磨き揚送装置の背面に取り付けるための取付枠板と、該取付枠板の前面開放部に支軸を中心にして開閉するカバー蓋と、によって構成され、前記取付枠板の内側には、前記モータの駆動力により回転駆動する駆動ローラが回転自在に軸支され、一方、前記カバー蓋の内側には、閉じた状態で前記駆動ローラのやや前方上下に当接する一対の圧接ローラが設けられていることを特徴とする。
【０００６】
また、布ベルトの汚れ度を検知するセンサーを設けたことを特徴とする。
【０００７】
また、未使用の布ベルトの残量を検出するセンサーを設けたことを特徴とする。
【０００８】
また、遊技場内の一箇所に、布ベルトの巻取動作を制御するためのコントロール基板を設けたことを特徴とする。
【０００９】
また、前記玉磨き揚送装置の玉流入口へのパチンコ玉の流入をストップし、布ベルトの巻取り作業を行うことを特徴とする。
【発明の効果】
【００１０】
請求項１に記載の発明においては、単位時間当りの布ベルトの引張長さと巻取長さとの関係が常に一定になるので、巻き乱れがなく、布ベルトを最後まで巻取ることができる。
【００１１】
また、請求項２に記載の発明においては、請求項１の効果に加え、極めて簡単に布ベルトを駆動ローラと圧接ローラとで圧接した状態とさせることができる。
【００１２】
また、請求項３に記載の発明において、請求項１又は請求項２の効果に加え、例えば、布ベルトの汚れ度を検知するセンサーがＯＮした際に、布ベルトの巻取作業を自動的に行うということができる。
【００１３】
また、請求項４に記載の発明においては、請求項１乃至請求項３のいずれかの効果に加え、例えば、未使用の布ベルトの残量を検出するセンサーが作動したときに遊技場の店員に視覚又は聴覚を通じて分かるように報知することができる。
【００１４】
また、請求項５に記載の発明において、請求項１乃至請求項４のいずれかの効果に加え、コントロール基板を個々のパチンコ島台毎に設けることなく、一箇所に設けて、その箇所で操作することにより遊技場内のすべての玉磨き揚送装置の布ベルトの巻取り作業を行うことができるようになる。
【００１５】
また、請求項６に記載の発明において、請求項１乃至請求項５のいずれかの効果に加え、玉磨き揚送装置内にパチンコ玉が完全に無くなった状態で布ベルトの巻取り作業を行うことができるようになる。
【発明を実施するための最良の形態】
【００１６】
以下、図面を参照して、本発明の実施形態について説明する。まず、図１を参照して、実施形態に係る玉磨き揚送装置１０を内蔵するパチンコ島台１の構成について簡単に説明する。図１は、パチンコ島台１の中央部分の側面図である。図において、周知のように、パチンコ島台１は、複数のパチンコ機２を背向列設するものであり、その内部にパチンコ機２で使用するパチンコ玉を循環せしめる循環機構を内蔵している。そして、循環機構の一部として、本実施形態の要部を構成する玉磨き揚送装置１０がパチンコ島台１のほぼ中央に形成される玉磨き揚送装置収納部３に収納設置されている。この玉磨き揚送装置収納部３は、その一側面が開閉式の開放扉となっており、玉磨き揚送装置１０に故障等が生じた場合には、この開放扉を開放して行うことができる。また、玉磨き揚送装置収納部３の内側側壁には、玉磨き揚送装置１０の後述する布ベルト９０の巻取動作を制御するための制御回路が内蔵されるコントロール基板４が取り付けられている。
【００１７】
次に、本実施形態の要部を構成する玉磨き揚送装置１０の全体の構成について図２及び図３を参照して説明する。図２は、玉磨き揚送装置１０の布ベルト９０が装着していない状態の後方から見た斜視図であり、図３は、玉磨き揚送装置１０の布ベルト９０が装着してある状態の後方から見た斜視図である。図において、玉磨き揚送装置１０は、支持台１１の上部に揚送筒本体１２が垂直状に立設され、揚送筒本体１２の内部を下部に支持されるモータ内蔵プーリ１３によって駆動される搬送ベルト１４が周回するようになっている。そして、揚送筒本体１２の下部には、玉磨き前のパチンコ玉が流入する玉流入口１５が形成され、揚送筒本体１２の上部には、玉磨き後のパチンコ玉が排出される玉排出口１６が形成されている。したがって、玉流入口１５から流入したパチンコ玉は、搬送ベルト１４によって揚送され、玉排出口１６から排出されるが、その揚送される過程で後述する布ベルト９０との摩擦力によってパチンコ玉に付着した汚れが拭き取られ、玉排出口１６からは、きれいにされたパチンコ玉が排出されることになる。
【００１８】
一方、前記した揚送筒本体１２の背面側には、カバー板１７が一側辺を軸支されて開閉自在に取り付けられている。このカバー板１７は、前記搬送ベルト１４や布ベルト９０を玉磨き揚送装置１０に装着する際に開放されるものであると共に、布ベルト９０自体がカバー板１７を周回するように装着される。そして、搬送ベルト１４や布ベルト９０が装着された時には、止着レバー装置１８（図１参照；図示の止着レバー装置１８は、軸子側であって係止側は反対側にある）によってカバー板１７を揚送筒本体１２に対面させた状態に維持される。ただし、詳細には説明しないが、揚送筒本体１２とカバー板１７との間には、隙間１９が形成されることとなるが、この隙間１９は、止着レバー装置１８によってその寸法を設定することができ、その設定値に応じて揚送されるパチンコ玉への圧力を変化させることができる。
【００１９】
ところで、上記したカバー板１７の背面には、本実施形態の要部を構成する引張ユニット２０と、布ベルト装着ユニット５０と、チャッキングユニット６２とが取り付けられている。引張ユニット２０は、モータ３０の駆動力により使用済の布ベルト９０を引っ張るものであり、布ベルト装着ユニット５０は、使用前後の布ベルト９０をロール状に装着するものであり、チャッキングユニット６２は、布ベルト９０の移動を停止せしめるものである。なお、図示の実施形態においては、布ベルト装着ユニット５０が設けられる上部取付枠５１とチャッキングユニット６２が設けられる下部取付枠板５３とは、一体的に連結され、その一体連結された状態で、後述する装着金具８３，８４によってカバー板１７の背面に取り付けられている。
【００２０】
そこで、まず、引張ユニット２０の構成について、図６乃至図８を参照して説明する。図６は、引張ユニット２０の斜視図であり、図７は、布ベルト９０を圧着挟持した状態での引張ユニット２０の側面図であり、図８は、布ベルト９０を圧着挟持する状態を示す引張ユニット２０の側面図である。図において、引張ユニット２０は、前記カバー板１７の背面にカバー板１７の側面を挟持する取付枠板２１に集約して設けられている。即ち、取付枠板２１は、図６に示すように、前面上下面が開放したコ字状に形成され、その側面を延設して形成した取付挟持片２２をカバー板１７の側面に当接挟持した状態で取付挟持片２２の上下に形成された取付長穴２３にボルト２４を貫通させて螺着することにより、引張ユニット２０をカバー板１７の背面に取り付けている。
【００２１】
また、取付枠板２１の下部内側には、駆動ローラ２５が回転自在に軸支され、、該駆動ローラ２５の駆動軸２６が取付枠板２１の一側外部に突出し、その突出した駆動軸２６にプーリ２７が固着されている。また、このプーリ２７には、ベルト２９を介して上部に設けられるプーリ２８が連結されるが、このプーリ２８は、取付枠板２１の上部内側に取り付けられるモータ３０のモータ軸３１に固着されるものである。したがって、モータ３０が回転駆動することにより、プーリ２７，２８及びベルト２９を介して駆動ローラ２５が回転駆動せしめられることとなる。
【００２２】
一方、取付枠板２１の前面開放部には、上部の支軸３３を中心にして開閉するカバー蓋３２が設けられるが、該カバー蓋３２の内側には、閉じた状態で前記駆動ローラ２５のやや前方上下に当接する一対の圧接ローラ３８ａ，３８ｂがローラ取付部材３７を介して取り付けられている。また、カバー蓋３２の下方前方には、係止ハンドル３４が回動自在に取り付けられ、該係止ハンドル３４の回動軸がカバー蓋３２の前面に突出して係止片３５が固着されている。係止片３５は、上下に延びる棒状部材であり、カバー蓋３２を閉じた状態で係止ハンドル３４を回動することにより、係止片３５が取付枠板２１の下端前方に差し渡される部材に形成される係止穴３６に係止されるようになっている。また、係止ハンドル３４によってカバー蓋３２を係止した状態では、駆動ローラ２５と圧接ローラ３８ａ，３８ｂとが当接した状態となっている。
【００２３】
ところで、駆動ローラ２５と圧接ローラ３８ａ，３８ｂとの間に布ベルト９０を嵌挿する際には、カバー蓋３２を開放した状態で、図８に示すように、取付枠板２１の上方開口から布ベルト９０を挿入して駆動ローラ２５の前方から下方に垂らし、後述するウェイトローラ６０に掛けてから巻取ローラ５６に巻取り、その後、カバー蓋３２を閉じて係止ハンドル３４を回動して係止片３５と係止穴３６とを係合させることにより、極めて簡単に布ベルト９０を駆動ローラ２５と圧接ローラ３８ａ，３８ｂとで圧接した状態とさせることができる。
【００２４】
上記のように構成される引張ユニット２０は、後述するチャッキングユニット６２が非チャッキング状態となっているときに、モータ３０が回転すると、駆動ローラ２５と圧接ローラ３８ａ，３８ｂとの圧接力により布ベルト９０を引っ張って下方に移動させることとなるが、この引張ユニット２０が布ベルト９０を移動させる唯一の構成である。
【００２５】
なお、上記した引張ユニット２０には、そのカバー蓋３２に始動スイッチ３９と強制停止スイッチ４０とが設けられている。始動スイッチ３９は、布ベルト９０を巻き取りたいときに押圧操作することにより、前記コントロール基板４からの指令に基づいてモータ３０が駆動を開始し、予め定めた一定時間（例えば、布ベルト９０の使用面を巻き取る時間に相当）が経過したときに停止させるものである。また、強制停止スイッチ４０は、始動スイッチ３９の操作後上記一定時間の経過前にモータ３０の駆動を停止したいときに操作するものである。
【００２６】
次に、図４、図５、及び図９を参照して布ベルト装着ユニット５０の構成について説明する。図４及び図５は、引張ユニット２０と布ベルト装着ユニット５０とチャッキングユニット６２との関係を示す側面図であり、図９は、布ベルト装着ユニット５０及びチャッキングユニット６２の斜視図である。図において、布ベルト装着ユニット５０は、図９に示すように、左右一対の長方形状の上部取付枠５１に集約して設けられるものであり、その上部取付枠５１は、その上部を連結片５２によって連結固定され、その下部をチャッキングユニット６２が設けられる下部取付枠板５３によって連結固定される。そして、下部取付枠板５３をカバー板１７の下方部に固着される下部装着金具８３に差し込み係合した後に、カバー板１７の側面に摺動自在に取り付けられている上部装着金具８４の係止片８４ａを連結片５２の内側端部に係合させるように下方にスライドさせ、その状態で上部装着金具８４を止着しているボルトを螺着することにより、布ベルト装着ユニット５０及びチャッキングユニット６２をカバー板１７の背面に取り付けるものである。
【００２７】
ところで、上記した上部取付枠５１には、使用前の布ベルトロール９０ａを巻装した布ベルト装着軸５８を落し入れ装着し得る第１の溝としての鍵溝５７と、該鍵溝５７の上部であって使用前布ベルトロール９０ａとチャッキングユニット６２との間に使用前布ベルトロール９０ａから引き出された布ベルト９０が差し渡されて布ベルト９０の移動に従って回転する補助ローラ５５及び該補助ローラ５５と当接しながら回転し且つ使用済の布ベルトをロール状に巻き取る巻取ローラ５６をそれぞれ上下重合して落し入れ装着し得る第２の溝としての装着長溝５４と、該装着長溝５４の前方であって使用済布ベルトロール９０ｂと前記引張ユニット２０との間に掛け渡される布ベルト９０の緊張力を付与するウェイトローラ６０を摺動自在に装着し得る第３の溝としての摺動溝５９と、がそれぞれ形成されている。また、上部取付枠５１のほぼ中心には、間隔保持杆６１が差し渡されて全体を補強している。
【００２８】
上記した構成のうち、布ベルト装着軸５８を装着し得る鍵溝５７や、巻取ローラ５６を装着し得る装着長溝５４の端部が開放した状態で形成されているので、布ベルト装着軸５８や巻取ローラ５６の装着作業を極めて簡単に行うことができる。また、補助ローラ５５、巻取ローラ５６、及びウェイトローラ６０は、比較的重量があるもので構成されているので、それぞれの回転動作時に軸が振れて回転することがない。なお、装着長溝５４の下端と鍵溝５７との間隔は、使用前の布ベルトロール９０ａの半径よりもやや大きな間隔を有するように形成され、また、装着長溝５４の深さも使用後の布ベルトロール９０ｂの半径よりもやや大きな間隔を有するように形成されている。また、布ベルト装着ユニット５０の作用については、後に詳述する。
【００２９】
次に、チャッキングユニット６２の構成のついて図９乃至図１３を参照して説明する。図９は、前述したように布ベルト装着ユニット５０及びチャッキングユニット６２の斜視図であり、図１０は、チャッキングユニット６２の斜視図であり、図１１は、主として開閉機構を示すチャッキングユニット６２の斜視図であり、図１２は、チャキング状態を示す側面図であり、図１３は、非チャッキング状態を示す側面図である。
【００３０】
図において、チャッキングユニット６２は、前述したように下部取付枠板５３に集約して設けられている。即ち、下部取付枠板５３の下部両側には、取付片６３が立設され、該取付片６３間に１つのチャッキングゴム６４が貼着されている。また、取付片６３の一方には、蝶番７６を介して開閉蓋としての開閉ボックス６５が開閉自在に取り付けられ、取付片６３の他方には、その開閉ボックス６５の施錠機構の一部を構成する係止片７７ａ，７７ｂが連結形成されている。
【００３１】
開閉ボックス６５の前方上部には、その上下方向に規制バー６６と支持バー６７とが差し渡され、支持バー６７には、そのほぼ全長に亘って揺動板６８が揺動自在に軸支されている。揺動板６８の下部前面には、前記チャッキングゴム６４に対応するもう１つのチャッキングゴム６９が貼着されている。また、上記揺動板６８の後方には、回転軸７０が回転自在に軸支されており、その回転軸７０には、一対の偏心カム７１が固着されている。また、回転軸７０の一端側においては、開閉ボックス６５の一側外部に固着される電気的駆動源としてのモータ７５と図示しない歯車機構によって連結され、モータ７５の回転によって正逆回転するようになっている。そして、モータ７５の回転を制御するために、回転軸７０の一側部には、スイッチングカム７２が固着され、そのスイッチングカム７２に所定間隔を離して突設される作動突起７２ａ，７２ｂによって作動される一対のスイッチ７４ａ，７４ｂがスイッチ取付板７３を介して開閉ボックス６５の前面裏側に取り付けられている。なお、上記した規制バー６６、支持バー６７、及び回動軸７０の軸支側の軸受は、開閉ボックス６５の軸支側の内側に固着される軸受板８５に軸支されることにより行われている。なお、偏心カム７１を移動せしめる電気的駆動源としてモータでなくても他の駆動源、例えば、ソレノイドであっても良い。
【００３２】
また、開閉ボックス６５は、前述したように蝶番７６によって開閉自在になされているが、閉止時の施錠構造として、図１１に示すように開放側の取付片６３には、係止片７７ａ，７７ｂが突設形成され、開閉ボックス６５側には、上記係止片７７ａ，７７ｂと係合する爪部８０ａ，８０ｂを有する鍵片７９が案内片７８に沿って摺動可能に設けられている。鍵片７９には、常に下方に付勢するスプリング８２が係止されると共に、開閉ボックス６５の側壁外部に突出する操作レバー８１が突設されている。したがって、開閉ボックス６５を開放するときには、操作レバー８１をスプリング８２の付勢力に抗して上方に押圧して鍵片７９を上動せしめて爪部８０ａ，８０ｂと係止片７７ａ，７７ｂとの係合を解除することにより簡単に行うことができる。そして開閉ボックス６５を開放した状態では、対面するチャッキングゴム６４，６９の間に簡単に布ベルト９０を通すことができ、布ベルト９０を通した後に、開閉ボックス６５を閉じて押圧することにより、鍵片７９の爪部８０ａ，８０ｂと係止片７７ａ，７７ｂとが自動的に係合する。
【００３３】
上記のようにして、開閉ボックス６５を施錠した状態では、図１２に示すように、揺動板６８の裏面を偏心カム７１が押圧した状態となるので、対面するチャッキングゴム６４，６９によって布ベルト９０がチャッキング状態となって移動しないようになっている。このような状態からモータ７５に回転指令が導出されたときには、回転軸７０が回転し、作動突起７２ａがスイッチ７４ａをＯＮすることによりその回転を停止する。回転が停止されたときには、偏心カム７１が揺動板６８の裏面を押圧した状態となっていないので、揺動板６８の下端は後方に揺動し、対面するチャッキングゴム６４，６９の間に隙間が生じて布ベルト９０をチャッキングしていない非チャッキング状態とする。このとき、図１３に示すように、揺動板６８の上端が規制バー６６に当接するので、揺動板６８が必要以上に揺動しないようになっている。このような非チャッキング状態となってから所定時間（前記引張ユニット２０のモータ３０の回転時間よりも僅かに短い時間が設定される）が経過したときに、モータ７５が逆回転して回転軸７０も逆方向に回転し、作動突起７２ｂがスイッチ７４ｂをＯＮするまで回転する。回転が停止されたときには、偏心カム７１が揺動板６８の裏面を押圧した状態となっているので、揺動板６８の下端が前方に揺動し、対面するチャッキングゴム６４，６９が布ベルト９０をチャッキングした状態とするものである。
【００３４】
次に、上記した構成からなる引張ユニット２０と布ベルト装着ユニット５０とチャッキングユニット６２との作用について主として図４及び図５を参照して説明する。まず、布ベルト９０を玉磨き揚送装置１０に取り付ける作業について説明すると、引張ユニット２０のカバー蓋３２及びチャッキングユニット６２の開閉ボックス６５を開放した状態で新しい使用前布ベルトロール９０ａの布ベルト装着軸５８を布ベルト装着ユニット５０の鍵溝５７に落とし入れた後、布ベルト９０の先端を、補助ローラ５５の上部を通してから開放しているチャッキングユニット６２のチャッキングゴム６４の前方に垂らし、その後、開放した状態のカバー板１７の前面に下部から上部にかけて布ベルト９０を差し渡し、引張ユニット２０の開放した状態の駆動ローラ２５の前方に布ベルト９０を垂らしてウェイトローラ６０の下を通して巻取ローラ５６に図４において時計回転方向となるように巻つける。
【００３５】
上記のような取付が終了した後には、まず、チャッキングユニット６２の開閉ボックス６５を閉めて一対のチャッキングゴム６４，６９で布ベルト９０をチャッキングし、その後、引張ユニット２０下方の布ベルト９０を強く引っ張りながら、引張ユニット２０のカバー蓋３２を閉じて係止ハンドル３４を回動して係止片３５と係止穴３６とを係止させる。この状態においては、駆動ローラ２５と圧接ローラ３８ａ，３８ｂとが布ベルト９０を圧接した状態となっている。そして、その後、余分に引き出した布ベルト９０を巻取ローラ５６に巻つけて巻取る。この時、ウェイトローラ６０が僅かに浮かぶ状態となるまで巻つけて巻取ローラ５６に巻つけられる布ベルト９０に常に緊張感を与えるようにすることが望ましい。以上により布ベルト９０の装着が終了した後にカバー板１７を閉じて止着レバー装置１８を掛け、布ベルト９０と搬送ベルト１４とを対面させる。
【００３６】
上記のようにして新しい布ベルト９０の装着が終了することにより、直ちに玉磨き揚送装置１０を稼働して玉磨き作用を行わせることができる。そして、例えば、１日の営業が終了して布ベルト９０の巻取りを行わせるには、パチンコ島台１の玉磨き揚送装置収納部３の開閉扉を開放して引張ユニット２０のカバー蓋３２に設けられる始動スイッチ３９をＯＮする。始動スイッチ３９のＯＮ信号が導出されると、コントロール基板４に形成される制御回路は、以下に説明するような制御を行う。
【００３７】
まず、チャッキングユニット６２のモータ７５を回転駆動してチャッキングゴム６４，６９のチャッキング状態を解除して非チャッキング状態とし、その後、引張ユニット２０のモータ３０に回転指令を付与する。引張ユニット２０のモータ３０を駆動することにより、駆動ローラ２５と圧接ローラ３８ａ，３８ｂとにより布ベルト９０全体が引っ張られる。布ベルト９０が引っ張られると、布ベルト装着ユニット５０の補助ローラ５５が回転し、これに当接している巻取ローラ５６も回転するので、引張ユニット２０によって引っ張られた布ベルト９０が巻取ローラ５６に巻装される。この際、巻取ローラ５６に巻取られる布ベルト９０がウェイトローラ６０によって常時緊張された状態で巻取られるので、巻き乱れがない。このような巻取り動作が開始してから所定時間（新たな布ベルト９０がカバー板１７の前面に位置した状態となる時間）が経過すると、まず、チャッキングユニット６２のモータ７５が逆方向に回転してチャッキング状態となり、その後、僅かな時間差をおいて引張ユニット２０のモータ３０の駆動が停止される。これにより、布ベルト９０の巻取り作業が終了し、このような作業が毎日営業の終了時に行われる。なお、布ベルト９０の長さは、上記のような作業を毎日行うとして約１週間分の長さのものが使用される。
【００３８】
上記したように、本実施形態における玉磨き揚送装置１０は、巻取ローラ５６への使用済の布ベルト９０ｂの巻取動作を布ベルト９０が引っ張られて移動する際に回転する補助ローラ５５に従動させて巻取ローラ５６を回転せしめるようにしているので、構造が極めて簡単であり、また、１つのモータ３０の駆動力によって布ベルト９０の引張動作と巻取動作とが行われるので、単位時間当りの布ベルト９０の引張長さと巻取長さとの関係が常に一定であり、しかもウェイトローラ６０によって常時緊張された状態で巻取られるので、巻き乱れがなく、布ベルト９０を最後まで巻取ることができる。
【００３９】
なお、上記した実施形態では、引張ユニット２０のモータ３０の駆動時間を布ベルト９０の使用面が未使用面に入れ替わる時間として説明したが、経験則上、玉流入口１５部分の汚れが極めてひどいので、その部分だけを上方に移動させてその後使用しても十分な玉磨き能力を発揮することができるので、上記の時間の半分や三分の一に設定しても良い。また、チャッキングユニット６２のチャッキング部材としてチャッキングゴム６４，６９を例示したが、高い摩擦力を発揮するものであれば、合成樹脂や他の素材で構成したものでも良い。また、上記実施形態では、布ベルト装着ユニット５０とチャッキングユニット６２とを上部取付枠５１と下部取付枠板５３とで一体化して装着金具８３，８４で装着したものを示したが、これらを別々に装着しても良いし、あるいは引張ユニット２０をも一体化して３つのユニットを一体化装着し得るようにしても良い。
【００４０】
更に、上記実施形態では、１日の営業が終了する毎に始動スイッチ３９を操作して布ベルト９０の巻取り作業を自動的に行わせるものを示したが、例えば、布ベルト９０の汚れ度を検知するセンサーを設け、そのセンサーがＯＮした際に、前述した動作を行うようにしても良い。また、この際、玉磨き揚送装置１０の玉流入口１５への玉の流入をストップし、揚送装置１０内にパチンコ玉が完全になくなった状態で布ベルト９０の巻取り作業を行うことが望ましい。また、未使用の布ベルト９０の残量が少なくなったことを検出するセンサーを設け、そのセンサーが作動したときに遊技場の店員に分かるように（視覚又は聴覚を通じて）報知しても良い。更に、新旧の布ベルトを交換する際には、新旧の布ベルトを特別な金具で連結した状態で引張ユニット２０で引き回すことにより、新規な布ベルトを簡単に玉磨き揚送装置１０に装着することができる。また、コントロール基板４を個々のパチンコ島台１毎に設けることなく、一箇所に設けて、その箇所で操作することにより遊技場内のすべての玉磨き揚送装置１０の布ベルトの巻取り作業を行うようにしても良い。
【図面の簡単な説明】
【００４１】
【図１】実施形態にかかる玉磨き揚送装置が適用されるパチンコ島台の中央部分の側面図である。
【図２】玉磨き揚送装置の布ベルトが装着していない状態の後方から見た斜視図である。
【図３】玉磨き揚送装置の布ベルトが装着してある状態の後方から見た斜視図である。
【図４】引張ユニットと布ベルト装着ユニットとチャッキングユニットとの関係を示す側面図である。
【図５】同じく引張ユニットと布ベルト装着ユニットとチャッキングユニットとの関係を示す側面図である。
【図６】引張ユニットの斜視図である。
【図７】布ベルトを圧着挟持した状態での引張ユニットの側面図である。
【図８】布ベルトを圧着挟持する状態を示す引張ユニットの側面図である。
【図９】布ベルト装着ユニット及びチャッキングユニット６斜視図である。
【図１０】チャッキングユニットの斜視図である。
【図１１】主として開閉機構を示すチャッキングユニットの斜視図である。
【図１２】チャキング状態を示すチャッキングユニットの側面図である。
【図１３】非チャッキング状態を示すチャッキングユニットの側面図である。
【符号の説明】
【００４２】
１０  玉磨き揚送装置
１４  搬送ベルト
１７  カバー板（玉磨き揚送装置の背面側）
１８  止着レバー装置
２０  引張ユニット
２１  取付枠板
２２  取付挟持片
２５  駆動ローラ
３０  モータ
３２  カバー蓋
３４  係止ハンドル
３５  係止片
３６  係止穴
３８ａ，３８ｂ  圧接ローラ
３９  始動スイッチ
５０  布ベルト装着ユニット
５１  上部取付枠（取付枠）
５３  下部取付枠板（取付枠）
５４  装着長溝（第２の溝）
５５  補助ローラ
５６  巻取ローラ
５７  鍵溝（第１の溝）
５８  布ベルト装着軸
５９  摺動溝（第３の溝）
６０  ウェイトローラ
６２  チャッキングユニット
６４  チャッキングゴム
６５  開閉ボックス（開閉蓋）
６６  規制バー
６７  支持バー
６８  揺動板
６９  チャッキングゴム
７０  回転軸
７１  偏心カム
７５  モータ（電気的駆動源）
７６  蝶番
８３  下部装着金具
８４  上部装着金具
９０  布ベルト
９０ａ  使用前布ベルトロール
９０ｂ  使用後布ベルトロール
【図１】
2006150131.tif 000003
【図２】
2006150131.tif 000004
【図３】
2006150131.tif 000005
【図４】
2006150131.tif 000006
【図５】
2006150131.tif 000007
【図６】
2006150131.tif 000008
【図７】
2006150131.tif 000009
【図８】
2006150131.tif 000010
【図９】
2006150131.tif 000011
【図１０】
2006150131.tif 000012
【図１１】
2006150131.tif 000013
【図１２】
2006150131.tif 000014
【図１３】
2006150131.tif 000015
【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
搬送ベルトと玉磨き用の布ベルトとを対面させてパチンコ玉を磨きながら揚送し、且つ使用済の布ベルトを巻き取る玉磨き揚送装置において、
前記玉磨き揚送装置の背面側に、使用済の布ベルトを引っ張る引張ユニットと、使用済の布ベルトを巻き取る布ベルト装着ユニットと、を設け、
前記引張ユニットは、前記玉磨き揚送装置の背面に取り付けるための取付枠板と、該取付枠板の前面開放部に支軸を中心にして開閉するカバー蓋と、によって構成され、
前記取付枠板の内側には、モータの駆動力により回転駆動する駆動ローラが回転自在に軸支され、一方、前記カバー蓋の内側には、閉じた状態で前記駆動ローラのやや前方上下に当接する一対の圧接ローラが設けられていることを特徴とする玉磨き揚送装置。
【請求項２】
前記引張ユニットと、前記布ベルト装着ユニットとの間に、該引張ユニットによって引っ張られた使用済の布ベルトに緊張力を付与するウェイトローラを設けたことを特徴とする請求項１記載の玉磨き揚送装置。
【請求項３】
前記モータの駆動力によって、前記引張ユニットの引張動作と、前記布ベルト装着ユニットの巻取動作とが行われることを特徴とする請求項１又は請求項２に記載の玉磨き揚送装置。
【請求項４】
前記布ベルト装着ユニットは、使用前の布ベルトロールを巻装した布ベルト装着軸を落し入れ装着し得る第１の溝と、該第１の溝の上部であって使用前布ベルトロールから引き出された布ベルトが差し渡されて布ベルトの移動に従って回転する補助ローラ及び該補助ローラと当接しながら回転し且つ使用済の布ベルトをロール状に巻き取る巻取ローラをそれぞれ上下重合して落し入れ装着し得る第２の溝と、が形成された一対の取付枠によって構成したことを特徴とする請求項１乃至請求項３のいずれかに記載の玉磨き揚送装置。
【手続補正２】
【補正対象書類名】明細書
【補正対象項目名】全文
【補正方法】変更
【補正の内容】
【発明の詳細な説明】
【技術分野】
【０００１】
本発明は、搬送ベルトと玉磨き用の布ベルトとを対面させてパチンコ玉を磨きながら揚送し、且つ使用済の布ベルトを巻き取る玉磨き揚送装置に関するものである。
【背景技術】
【０００２】
本出願人は、汚れの付着した布ベルトの巻取り作業を自動的に行う玉磨き揚送装置として、先に特願平３−１９０６７８号（特開平５−７６６２号として公開されている）に開示される技術を提案した。この先行技術は、使用済の布ベルトを引っ張る引張機構部の動力源としてモータを使用し、使用済の布ベルトを巻取る巻取駆動部の動力源としてもモータを使用していた。
【特許文献１】特開平５−７６６２号公報
【発明の開示】
【発明が解決しようとする課題】
【０００３】
このため、特に巻取駆動部の構造が複雑であるという構造的な欠点が存在していた。本発明は、上記した事情に鑑みなされたもので、その目的とするところは、布ベルトの巻取部の構造が簡単な玉磨き揚送装置を提供することにある。
【課題を解決するための手段】
【０００４】
上記した目的を達成するために、本発明においては、搬送ベルトと玉磨き用の布ベルトとを対面させてパチンコ玉を磨きながら揚送し、且つ使用済の布ベルトを巻き取る玉磨き揚送装置において、前記玉磨き揚送装置の背面側に、使用済の布ベルトを引っ張る引張ユニットと、使用済の布ベルトを巻き取る布ベルト装着ユニットと、を設け、前記引張ユニットは、前記玉磨き揚送装置の背面に取り付けるための取付枠板と、該取付枠板の前面開放部に支軸を中心にして開閉するカバー蓋と、によって構成され、前記取付枠板の内側には、モータの駆動力により回転駆動する駆動ローラが回転自在に軸支され、一方、前記カバー蓋の内側には、閉じた状態で前記駆動ローラのやや前方上下に当接する一対の圧接ローラが設けられていることを特徴とするものである。
【０００５】
また、前記引張ユニットと、前記布ベルト装着ユニットとの間に、該引張ユニットによって引っ張られた使用済の布ベルトに緊張力を付与するウェイトローラを設けたことを特徴とする。
【０００６】
また、前記モータの駆動力によって、前記引張ユニットの引張動作と、前記布ベルト装着ユニットの巻取動作とが行われることを特徴とする。
【０００７】
また、前記布ベルト装着ユニットは、使用前の布ベルトロールを巻装した布ベルト装着軸を落し入れ装着し得る第１の溝と、該第１の溝の上部であって使用前布ベルトロールから引き出された布ベルトが差し渡されて布ベルトの移動に従って回転する補助ローラ及び該補助ローラと当接しながら回転し且つ使用済の布ベルトをロール状に巻き取る巻取ローラをそれぞれ上下重合して落し入れ装着し得る第２の溝と、が形成された一対の取付枠によって構成したことを特徴とする。
【発明の効果】
【０００８】
請求項１に記載の発明においては、極めて簡単に布ベルトを駆動ローラと圧接ローラとで圧接した状態とさせることができる。
【０００９】
請求項２に記載の発明においては、請求項１の効果に加え、布ベルト装着部がウェイトローラによって常時緊張した状態の布ベルトを巻取るで、布ベルトの巻き乱れを無くすことができる。
【００１０】
請求項３に記載の発明においては、請求項１又は２の効果に加え、前記引張ユニットでの使用済の布ベルトの引張動作と、前記布ベルト装着ユニットでの使用済の布ベルトの巻取動作とが、１つのモータの駆動力によって行われるため、単位時間当りの布ベルトの引張長さと巻取長さとの関係を常に一定にすることができる。
【００１１】
請求項４に記載の発明においては、請求項１乃至請求項３のいずれかの効果に加え、布ベルト装着軸や巻取ローラの装着作業を極めて簡単に行うことができる。
【発明を実施するための最良の形態】
【００１２】
以下、図面を参照して、本発明の実施形態について説明する。まず、図１を参照して、実施形態に係る玉磨き揚送装置１０を内蔵するパチンコ島台１の構成について簡単に説明する。図１は、パチンコ島台１の中央部分の側面図である。図において、周知のように、パチンコ島台１は、複数のパチンコ機２を背向列設するものであり、その内部にパチンコ機２で使用するパチンコ玉を循環せしめる循環機構を内蔵している。そして、循環機構の一部として、本実施形態の要部を構成する玉磨き揚送装置１０がパチンコ島台１のほぼ中央に形成される玉磨き揚送装置収納部３に収納設置されている。この玉磨き揚送装置収納部３は、その一側面が開閉式の開放扉となっており、玉磨き揚送装置１０に故障等が生じた場合には、この開放扉を開放して行うことができる。また、玉磨き揚送装置収納部３の内側側壁には、玉磨き揚送装置１０の後述する布ベルト９０の巻取動作を制御するための制御回路が内蔵されるコントロール基板４が取り付けられている。
【００１３】
次に、本実施形態の要部を構成する玉磨き揚送装置１０の全体の構成について図２及び図３を参照して説明する。図２は、玉磨き揚送装置１０の布ベルト９０が装着していない状態の後方から見た斜視図であり、図３は、玉磨き揚送装置１０の布ベルト９０が装着してある状態の後方から見た斜視図である。図において、玉磨き揚送装置１０は、支持台１１の上部に揚送筒本体１２が垂直状に立設され、揚送筒本体１２の内部を下部に支持されるモータ内蔵プーリ１３によって駆動される搬送ベルト１４が周回するようになっている。そして、揚送筒本体１２の下部には、玉磨き前のパチンコ玉が流入する玉流入口１５が形成され、揚送筒本体１２の上部には、玉磨き後のパチンコ玉が排出される玉排出口１６が形成されている。したがって、玉流入口１５から流入したパチンコ玉は、搬送ベルト１４によって揚送され、玉排出口１６から排出されるが、その揚送される過程で後述する布ベルト９０との摩擦力によってパチンコ玉に付着した汚れが拭き取られ、玉排出口１６からは、きれいにされたパチンコ玉が排出されることになる。
【００１４】
一方、前記した揚送筒本体１２の背面側には、カバー板１７が一側辺を軸支されて開閉自在に取り付けられている。このカバー板１７は、前記搬送ベルト１４や布ベルト９０を玉磨き揚送装置１０に装着する際に開放されるものであると共に、布ベルト９０自体がカバー板１７を周回するように装着される。そして、搬送ベルト１４や布ベルト９０が装着された時には、止着レバー装置１８（図１参照；図示の止着レバー装置１８は、軸子側であって係止側は反対側にある）によってカバー板１７を揚送筒本体１２に対面させた状態に維持される。ただし、詳細には説明しないが、揚送筒本体１２とカバー板１７との間には、隙間１９が形成されることとなるが、この隙間１９は、止着レバー装置１８によってその寸法を設定することができ、その設定値に応じて揚送されるパチンコ玉への圧力を変化させることができる。
【００１５】
ところで、上記したカバー板１７の背面には、本実施形態の要部を構成する引張ユニット２０と、布ベルト装着ユニット５０と、チャッキングユニット６２とが取り付けられている。引張ユニット２０は、モータ３０の駆動力により使用済の布ベルト９０を引っ張るものであり、布ベルト装着ユニット５０は、使用前後の布ベルト９０をロール状に装着するものであり、チャッキングユニット６２は、布ベルト９０の移動を停止せしめるものである。なお、図示の実施形態においては、布ベルト装着ユニット５０が設けられる上部取付枠５１とチャッキングユニット６２が設けられる下部取付枠板５３とは、一体的に連結され、その一体連結された状態で、後述する装着金具８３，８４によってカバー板１７の背面に取り付けられている。
【００１６】
そこで、まず、引張ユニット２０の構成について、図６乃至図８を参照して説明する。図６は、引張ユニット２０の斜視図であり、図７は、布ベルト９０を圧着挟持した状態での引張ユニット２０の側面図であり、図８は、布ベルト９０を圧着挟持する状態を示す引張ユニット２０の側面図である。図において、引張ユニット２０は、前記カバー板１７の背面にカバー板１７の側面を挟持する取付枠板２１に集約して設けられている。即ち、取付枠板２１は、図６に示すように、前面上下面が開放したコ字状に形成され、その側面を延設して形成した取付挟持片２２をカバー板１７の側面に当接挟持した状態で取付挟持片２２の上下に形成された取付長穴２３にボルト２４を貫通させて螺着することにより、引張ユニット２０をカバー板１７の背面に取り付けている。
【００１７】
また、取付枠板２１の下部内側には、駆動ローラ２５が回転自在に軸支され、、該駆動ローラ２５の駆動軸２６が取付枠板２１の一側外部に突出し、その突出した駆動軸２６にプーリ２７が固着されている。また、このプーリ２７には、ベルト２９を介して上部に設けられるプーリ２８が連結されるが、このプーリ２８は、取付枠板２１の上部内側に取り付けられるモータ３０のモータ軸３１に固着されるものである。したがって、モータ３０が回転駆動することにより、プーリ２７，２８及びベルト２９を介して駆動ローラ２５が回転駆動せしめられることとなる。
【００１８】
一方、取付枠板２１の前面開放部には、上部の支軸３３を中心にして開閉するカバー蓋３２が設けられるが、該カバー蓋３２の内側には、閉じた状態で前記駆動ローラ２５のやや前方上下に当接する一対の圧接ローラ３８ａ，３８ｂがローラ取付部材３７を介して取り付けられている。また、カバー蓋３２の下方前方には、係止ハンドル３４が回動自在に取り付けられ、該係止ハンドル３４の回動軸がカバー蓋３２の前面に突出して係止片３５が固着されている。係止片３５は、上下に延びる棒状部材であり、カバー蓋３２を閉じた状態で係止ハンドル３４を回動することにより、係止片３５が取付枠板２１の下端前方に差し渡される部材に形成される係止穴３６に係止されるようになっている。また、係止ハンドル３４によってカバー蓋３２を係止した状態では、駆動ローラ２５と圧接ローラ３８ａ，３８ｂとが当接した状態となっている。
【００１９】
ところで、駆動ローラ２５と圧接ローラ３８ａ，３８ｂとの間に布ベルト９０を嵌挿する際には、カバー蓋３２を開放した状態で、図８に示すように、取付枠板２１の上方開口から布ベルト９０を挿入して駆動ローラ２５の前方から下方に垂らし、後述するウェイトローラ６０に掛けてから巻取ローラ５６に巻取り、その後、カバー蓋３２を閉じて係止ハンドル３４を回動して係止片３５と係止穴３６とを係合させることにより、極めて簡単に布ベルト９０を駆動ローラ２５と圧接ローラ３８ａ，３８ｂとで圧接した状態とさせることができる。
【００２０】
上記のように構成される引張ユニット２０は、後述するチャッキングユニット６２が非チャッキング状態となっているときに、モータ３０が回転すると、駆動ローラ２５と圧接ローラ３８ａ，３８ｂとの圧接力により布ベルト９０を引っ張って下方に移動させることとなるが、この引張ユニット２０が布ベルト９０を移動させる唯一の構成である。
【００２１】
なお、上記した引張ユニット２０には、そのカバー蓋３２に始動スイッチ３９と強制停止スイッチ４０とが設けられている。始動スイッチ３９は、布ベルト９０を巻き取りたいときに押圧操作することにより、前記コントロール基板４からの指令に基づいてモータ３０が駆動を開始し、予め定めた一定時間（例えば、布ベルト９０の使用面を巻き取る時間に相当）が経過したときに停止させるものである。また、強制停止スイッチ４０は、始動スイッチ３９の操作後上記一定時間の経過前にモータ３０の駆動を停止したいときに操作するものである。
【００２２】
次に、図４、図５、及び図９を参照して布ベルト装着ユニット５０の構成について説明する。図４及び図５は、引張ユニット２０と布ベルト装着ユニット５０とチャッキングユニット６２との関係を示す側面図であり、図９は、布ベルト装着ユニット５０及びチャッキングユニット６２の斜視図である。図において、布ベルト装着ユニット５０は、図９に示すように、左右一対の長方形状の上部取付枠５１に集約して設けられるものであり、その上部取付枠５１は、その上部を連結片５２によって連結固定され、その下部をチャッキングユニット６２が設けられる下部取付枠板５３によって連結固定される。そして、下部取付枠板５３をカバー板１７の下方部に固着される下部装着金具８３に差し込み係合した後に、カバー板１７の側面に摺動自在に取り付けられている上部装着金具８４の係止片８４ａを連結片５２の内側端部に係合させるように下方にスライドさせ、その状態で上部装着金具８４を止着しているボルトを螺着することにより、布ベルト装着ユニット５０及びチャッキングユニット６２をカバー板１７の背面に取り付けるものである。
【００２３】
ところで、上記した上部取付枠５１には、使用前の布ベルトロール９０ａを巻装した布ベルト装着軸５８を落し入れ装着し得る第１の溝としての鍵溝５７と、該鍵溝５７の上部であって使用前布ベルトロール９０ａとチャッキングユニット６２との間に使用前布ベルトロール９０ａから引き出された布ベルト９０が差し渡されて布ベルト９０の移動に従って回転する補助ローラ５５及び該補助ローラ５５と当接しながら回転し且つ使用済の布ベルトをロール状に巻き取る巻取ローラ５６をそれぞれ上下重合して落し入れ装着し得る第２の溝としての装着長溝５４と、該装着長溝５４の前方であって使用済布ベルトロール９０ｂと前記引張ユニット２０との間に掛け渡される布ベルト９０の緊張力を付与するウェイトローラ６０を摺動自在に装着し得る第３の溝としての摺動溝５９と、がそれぞれ形成されている。また、上部取付枠５１のほぼ中心には、間隔保持杆６１が差し渡されて全体を補強している。
【００２４】
上記した構成のうち、布ベルト装着軸５８を装着し得る鍵溝５７や、巻取ローラ５６を装着し得る装着長溝５４の端部が開放した状態で形成されているので、布ベルト装着軸５８や巻取ローラ５６の装着作業を極めて簡単に行うことができる。また、補助ローラ５５、巻取ローラ５６、及びウェイトローラ６０は、比較的重量があるもので構成されているので、それぞれの回転動作時に軸が振れて回転することがない。なお、装着長溝５４の下端と鍵溝５７との間隔は、使用前の布ベルトロール９０ａの半径よりもやや大きな間隔を有するように形成され、また、装着長溝５４の深さも使用後の布ベルトロール９０ｂの半径よりもやや大きな間隔を有するように形成されている。また、布ベルト装着ユニット５０の作用については、後に詳述する。
【００２５】
次に、チャッキングユニット６２の構成のついて図９乃至図１３を参照して説明する。図９は、前述したように布ベルト装着ユニット５０及びチャッキングユニット６２の斜視図であり、図１０は、チャッキングユニット６２の斜視図であり、図１１は、主として開閉機構を示すチャッキングユニット６２の斜視図であり、図１２は、チャキング状態を示す側面図であり、図１３は、非チャッキング状態を示す側面図である。
【００２６】
図において、チャッキングユニット６２は、前述したように下部取付枠板５３に集約して設けられている。即ち、下部取付枠板５３の下部両側には、取付片６３が立設され、該取付片６３間に１つのチャッキングゴム６４が貼着されている。また、取付片６３の一方には、蝶番７６を介して開閉蓋としての開閉ボックス６５が開閉自在に取り付けられ、取付片６３の他方には、その開閉ボックス６５の施錠機構の一部を構成する係止片７７ａ，７７ｂが連結形成されている。
【００２７】
開閉ボックス６５の前方上部には、その上下方向に規制バー６６と支持バー６７とが差し渡され、支持バー６７には、そのほぼ全長に亘って揺動板６８が揺動自在に軸支されている。揺動板６８の下部前面には、前記チャッキングゴム６４に対応するもう１つのチャッキングゴム６９が貼着されている。また、上記揺動板６８の後方には、回転軸７０が回転自在に軸支されており、その回転軸７０には、一対の偏心カム７１が固着されている。また、回転軸７０の一端側においては、開閉ボックス６５の一側外部に固着される電気的駆動源としてのモータ７５と図示しない歯車機構によって連結され、モータ７５の回転によって正逆回転するようになっている。そして、モータ７５の回転を制御するために、回転軸７０の一側部には、スイッチングカム７２が固着され、そのスイッチングカム７２に所定間隔を離して突設される作動突起７２ａ，７２ｂによって作動される一対のスイッチ７４ａ，７４ｂがスイッチ取付板７３を介して開閉ボックス６５の前面裏側に取り付けられている。なお、上記した規制バー６６、支持バー６７、及び回動軸７０の軸支側の軸受は、開閉ボックス６５の軸支側の内側に固着される軸受板８５に軸支されることにより行われている。なお、偏心カム７１を移動せしめる電気的駆動源としてモータでなくても他の駆動源、例えば、ソレノイドであっても良い。
【００２８】
また、開閉ボックス６５は、前述したように蝶番７６によって開閉自在になされているが、閉止時の施錠構造として、図１１に示すように開放側の取付片６３には、係止片７７ａ，７７ｂが突設形成され、開閉ボックス６５側には、上記係止片７７ａ，７７ｂと係合する爪部８０ａ，８０ｂを有する鍵片７９が案内片７８に沿って摺動可能に設けられている。鍵片７９には、常に下方に付勢するスプリング８２が係止されると共に、開閉ボックス６５の側壁外部に突出する操作レバー８１が突設されている。したがって、開閉ボックス６５を開放するときには、操作レバー８１をスプリング８２の付勢力に抗して上方に押圧して鍵片７９を上動せしめて爪部８０ａ，８０ｂと係止片７７ａ，７７ｂとの係合を解除することにより簡単に行うことができる。そして開閉ボックス６５を開放した状態では、対面するチャッキングゴム６４，６９の間に簡単に布ベルト９０を通すことができ、布ベルト９０を通した後に、開閉ボックス６５を閉じて押圧することにより、鍵片７９の爪部８０ａ，８０ｂと係止片７７ａ，７７ｂとが自動的に係合する。
【００２９】
上記のようにして、開閉ボックス６５を施錠した状態では、図１２に示すように、揺動板６８の裏面を偏心カム７１が押圧した状態となるので、対面するチャッキングゴム６４，６９によって布ベルト９０がチャッキング状態となって移動しないようになっている。このような状態からモータ７５に回転指令が導出されたときには、回転軸７０が回転し、作動突起７２ａがスイッチ７４ａをＯＮすることによりその回転を停止する。回転が停止されたときには、偏心カム７１が揺動板６８の裏面を押圧した状態となっていないので、揺動板６８の下端は後方に揺動し、対面するチャッキングゴム６４，６９の間に隙間が生じて布ベルト９０をチャッキングしていない非チャッキング状態とする。このとき、図１３に示すように、揺動板６８の上端が規制バー６６に当接するので、揺動板６８が必要以上に揺動しないようになっている。このような非チャッキング状態となってから所定時間（前記引張ユニット２０のモータ３０の回転時間よりも僅かに短い時間が設定される）が経過したときに、モータ７５が逆回転して回転軸７０も逆方向に回転し、作動突起７２ｂがスイッチ７４ｂをＯＮするまで回転する。回転が停止されたときには、偏心カム７１が揺動板６８の裏面を押圧した状態となっているので、揺動板６８の下端が前方に揺動し、対面するチャッキングゴム６４，６９が布ベルト９０をチャッキングした状態とするものである。
【００３０】
次に、上記した構成からなる引張ユニット２０と布ベルト装着ユニット５０とチャッキングユニット６２との作用について主として図４及び図５を参照して説明する。まず、布ベルト９０を玉磨き揚送装置１０に取り付ける作業について説明すると、引張ユニット２０のカバー蓋３２及びチャッキングユニット６２の開閉ボックス６５を開放した状態で新しい使用前布ベルトロール９０ａの布ベルト装着軸５８を布ベルト装着ユニット５０の鍵溝５７に落とし入れた後、布ベルト９０の先端を、補助ローラ５５の上部を通してから開放しているチャッキングユニット６２のチャッキングゴム６４の前方に垂らし、その後、開放した状態のカバー板１７の前面に下部から上部にかけて布ベルト９０を差し渡し、引張ユニット２０の開放した状態の駆動ローラ２５の前方に布ベルト９０を垂らしてウェイトローラ６０の下を通して巻取ローラ５６に図４において時計回転方向となるように巻つける。
【００３１】
上記のような取付が終了した後には、まず、チャッキングユニット６２の開閉ボックス６５を閉めて一対のチャッキングゴム６４，６９で布ベルト９０をチャッキングし、その後、引張ユニット２０下方の布ベルト９０を強く引っ張りながら、引張ユニット２０のカバー蓋３２を閉じて係止ハンドル３４を回動して係止片３５と係止穴３６とを係止させる。この状態においては、駆動ローラ２５と圧接ローラ３８ａ，３８ｂとが布ベルト９０を圧接した状態となっている。そして、その後、余分に引き出した布ベルト９０を巻取ローラ５６に巻つけて巻取る。この時、ウェイトローラ６０が僅かに浮かぶ状態となるまで巻つけて巻取ローラ５６に巻つけられる布ベルト９０に常に緊張感を与えるようにすることが望ましい。以上により布ベルト９０の装着が終了した後にカバー板１７を閉じて止着レバー装置１８を掛け、布ベルト９０と搬送ベルト１４とを対面させる。
【００３２】
上記のようにして新しい布ベルト９０の装着が終了することにより、直ちに玉磨き揚送装置１０を稼働して玉磨き作用を行わせることができる。そして、例えば、１日の営業が終了して布ベルト９０の巻取りを行わせるには、パチンコ島台１の玉磨き揚送装置収納部３の開閉扉を開放して引張ユニット２０のカバー蓋３２に設けられる始動スイッチ３９をＯＮする。始動スイッチ３９のＯＮ信号が導出されると、コントロール基板４に形成される制御回路は、以下に説明するような制御を行う。
【００３３】
まず、チャッキングユニット６２のモータ７５を回転駆動してチャッキングゴム６４，６９のチャッキング状態を解除して非チャッキング状態とし、その後、引張ユニット２０のモータ３０に回転指令を付与する。引張ユニット２０のモータ３０を駆動することにより、駆動ローラ２５と圧接ローラ３８ａ，３８ｂとにより布ベルト９０全体が引っ張られる。布ベルト９０が引っ張られると、布ベルト装着ユニット５０の補助ローラ５５が回転し、これに当接している巻取ローラ５６も回転するので、引張ユニット２０によって引っ張られた布ベルト９０が巻取ローラ５６に巻装される。この際、巻取ローラ５６に巻取られる布ベルト９０がウェイトローラ６０によって常時緊張された状態で巻取られるので、巻き乱れがない。このような巻取り動作が開始してから所定時間（新たな布ベルト９０がカバー板１７の前面に位置した状態となる時間）が経過すると、まず、チャッキングユニット６２のモータ７５が逆方向に回転してチャッキング状態となり、その後、僅かな時間差をおいて引張ユニット２０のモータ３０の駆動が停止される。これにより、布ベルト９０の巻取り作業が終了し、このような作業が毎日営業の終了時に行われる。なお、布ベルト９０の長さは、上記のような作業を毎日行うとして約１週間分の長さのものが使用される。
【００３４】
上記したように、本実施形態における玉磨き揚送装置１０は、巻取ローラ５６への使用済の布ベルト９０ｂの巻取動作を布ベルト９０が引っ張られて移動する際に回転する補助ローラ５５に従動させて巻取ローラ５６を回転せしめるようにしているので、構造が極めて簡単であり、また、１つのモータ３０の駆動力によって布ベルト９０の引張動作と巻取動作とが行われるので、単位時間当りの布ベルト９０の引張長さと巻取長さとの関係が常に一定であり、しかもウェイトローラ６０によって常時緊張された状態で巻取られるので、巻き乱れがなく、布ベルト９０を最後まで巻取ることができる。
【００３５】
なお、上記した実施形態では、引張ユニット２０のモータ３０の駆動時間を布ベルト９０の使用面が未使用面に入れ替わる時間として説明したが、経験則上、玉流入口１５部分の汚れが極めてひどいので、その部分だけを上方に移動させてその後使用しても十分な玉磨き能力を発揮することができるので、上記の時間の半分や三分の一に設定しても良い。また、チャッキングユニット６２のチャッキング部材としてチャッキングゴム６４，６９を例示したが、高い摩擦力を発揮するものであれば、合成樹脂や他の素材で構成したものでも良い。また、上記実施形態では、布ベルト装着ユニット５０とチャッキングユニット６２とを上部取付枠５１と下部取付枠板５３とで一体化して装着金具８３，８４で装着したものを示したが、これらを別々に装着しても良いし、あるいは引張ユニット２０をも一体化して３つのユニットを一体化装着し得るようにしても良い。
【００３６】
更に、上記実施形態では、１日の営業が終了する毎に始動スイッチ３９を操作して布ベルト９０の巻取り作業を自動的に行わせるものを示したが、例えば、布ベルト９０の汚れ度を検知するセンサーを設け、そのセンサーがＯＮした際に、前述した動作を行うようにしても良い。また、この際、玉磨き揚送装置１０の玉流入口１５への玉の流入をストップし、揚送装置１０内にパチンコ玉が完全になくなった状態で布ベルト９０の巻取り作業を行うことが望ましい。また、未使用の布ベルト９０の残量が少なくなったことを検出するセンサーを設け、そのセンサーが作動したときに遊技場の店員に分かるように（視覚又は聴覚を通じて）報知しても良い。更に、新旧の布ベルトを交換する際には、新旧の布ベルトを特別な金具で連結した状態で引張ユニット２０で引き回すことにより、新規な布ベルトを簡単に玉磨き揚送装置１０に装着することができる。また、コントロール基板４を個々のパチンコ島台１毎に設けることなく、一箇所に設けて、その箇所で操作することにより遊技場内のすべての玉磨き揚送装置１０の布ベルトの巻取り作業を行うようにしても良い。
【図面の簡単な説明】
【００３７】
【図１】実施形態にかかる玉磨き揚送装置が適用されるパチンコ島台の中央部分の側面図である。
【図２】玉磨き揚送装置の布ベルトが装着していない状態の後方から見た斜視図である。
【図３】玉磨き揚送装置の布ベルトが装着してある状態の後方から見た斜視図である。
【図４】引張ユニットと布ベルト装着ユニットとチャッキングユニットとの関係を示す側面図である。
【図５】同じく引張ユニットと布ベルト装着ユニットとチャッキングユニットとの関係を示す側面図である。
【図６】引張ユニットの斜視図である。
【図７】布ベルトを圧着挟持した状態での引張ユニットの側面図である。
【図８】布ベルトを圧着挟持する状態を示す引張ユニットの側面図である。
【図９】布ベルト装着ユニット及びチャッキングユニット６斜視図である。
【図１０】チャッキングユニットの斜視図である。
【図１１】主として開閉機構を示すチャッキングユニットの斜視図である。
【図１２】チャキング状態を示すチャッキングユニットの側面図である。
【図１３】非チャッキング状態を示すチャッキングユニットの側面図である。
【符号の説明】
【００３８】
１０  玉磨き揚送装置
１４  搬送ベルト
１７  カバー板（玉磨き揚送装置の背面側）
１８  止着レバー装置
２０  引張ユニット
２１  取付枠板
２２  取付挟持片
２５  駆動ローラ
３０  モータ
３２  カバー蓋
３４  係止ハンドル
３５  係止片
３６  係止穴
３８ａ，３８ｂ  圧接ローラ
３９  始動スイッチ
５０  布ベルト装着ユニット
５１  上部取付枠（取付枠）
５３  下部取付枠板（取付枠）
５４  装着長溝（第２の溝）
５５  補助ローラ
５６  巻取ローラ
５７  鍵溝（第１の溝）
５８  布ベルト装着軸
５９  摺動溝（第３の溝）
６０  ウェイトローラ
６２  チャッキングユニット
６４  チャッキングゴム
６５  開閉ボックス（開閉蓋）
６６  規制バー
６７  支持バー
６８  揺動板
６９  チャッキングゴム
７０  回転軸
７１  偏心カム
７５  モータ（電気的駆動源）
７６  蝶番
８３  下部装着金具
８４  上部装着金具
９０  布ベルト
９０ａ  使用前布ベルトロール
９０ｂ  使用後布ベルトロール